【手続補正書】
【提出日】平成21年4月1日(2009.4.1)
【手続補正１】
【補正対象書類名】特許請求の範囲
【補正対象項目名】請求項２５
【補正方法】変更
【補正の内容】
【請求項２５】
前記電流調整手段は、前記第１設定モードを解除して前記第２設定モードに移行する直前に前記目標圧力を記憶し、前記第２設定モードが解除されて前記第１設定モードに再び移行したときに、記憶されていた前記目標圧力に基づいて前記ソレノイドに供給される電流を調整することを特徴とする請求項１１乃至２４の何れかに記載の可変容量圧縮機の容量制御システム。
【手続補正２】
【補正対象書類名】特許請求の範囲
【補正対象項目名】請求項２８
【補正方法】変更
【補正の内容】
【請求項２８】
前記可変容量圧縮機は、内部に吐出室、クランク室、吸入室及びシリンダボアが区画形成されたハウジングと、前記シリンダボアに配設されたピストンと、前記ハウジング内に回転可能に支持された駆動軸と、前記駆動軸の回転を前記ピストンの往復運動に変換する傾角可変の斜板要素を含む変換機構と、前記吐出室と前記クランク室とを連通する給気通路と、前記クランク室と前記吸入室とを連通する抽気通路とを備え、前記容量制御弁は、前記給気通路及び前記抽気通路のうち一方に介挿されていることを特徴とする請求項２乃至２７の何れかに記載の可変容量圧縮機の容量制御システム。
【手続補正３】
【補正対象書類名】明細書
【補正対象項目名】００２８
【補正方法】変更
【補正の内容】
【００２８】
好ましくは、前記電流調整手段は、前記第１設定モードを解除して前記第２設定モードに移行する直前に前記目標圧力を記憶し、前記第２設定モードが解除されて前記第１設定モードに再び移行したときに、記憶されていた前記目標圧力に基づいて前記ソレノイドに供給される電流を調整する（請求項２５）。
好ましくは、前記目標圧力設定手段は、１つ以上の設定モードに基づいて前記目標圧力を設定可能であり、前記設定モードは、前記可変容量圧縮機の目標駆動負荷を設定し、前記可変容量圧縮機の駆動負荷が前記目標駆動負荷に近付くように前記目標圧力を設定する第２設定モードを含む（請求項２６）。
【手続補正４】
【補正対象書類名】明細書
【補正対象項目名】００２９
【補正方法】変更
【補正の内容】
【００２９】
好ましくは、前記目標圧力設定手段は、１つ以上の設定モードに基づいて前記目標圧力を設定可能であり、前記設定モードは、前記高圧圧力の目標となる目標高圧圧力を設定し、前記高圧圧力検知手段により検知された前記高圧圧力が前記目標高圧圧力に近付くように前記目標圧力を設定する第３設定モードを含む（請求項２７）。
好ましくは、前記可変容量圧縮機は、内部に吐出室、クランク室、吸入室及びシリンダボアが区画形成されたハウジングと、前記シリンダボアに配設されたピストンと、前記ハウジング内に回転可能に支持された駆動軸と、前記駆動軸の回転を前記ピストンの往復運動に変換する傾角可変の斜板要素を含む変換機構と、前記吐出室と前記クランク室とを連通する給気通路と、前記クランク室と前記吸入室とを連通する抽気通路とを備え、前記容量制御弁は、前記給気通路及び前記抽気通路のうち一方に介挿されている（請求項２８）。
【手続補正５】
【補正対象書類名】明細書
【補正対象項目名】０１０５
【補正方法】変更
【補正の内容】
【０１０５】
このように上述した容量制御システムＡでは吸入圧力Ｐｓの制御範囲が広いため、車両用空調システムの運転状況に対応して吸入圧力Ｐｓが広い範囲に亘って変化したとしても、吐出容量が確実に制御される。例えば、熱負荷が高い場合であっても、目標吸入圧力Ｐｓｓｅｔ及び吐出圧力Ｐｄに基づいて適当な制御電流Ｉが演算され、吐出容量が確実に制御される。
【手続補正６】
【補正対象書類名】明細書
【補正対象項目名】０１１９
【補正方法】変更
【補正の内容】
【０１１９】
トルク制御ルーチンＳ２３の実行後にはＳ１１に戻り、Ｓ１１、Ｓ１３及びＳ１４の判定結果がＹｅｓであれば、Ｓ２０に至る。Ｓ２０では、先にフラグＮが１に設定されたため、その判定結果がＮｏとなり、経過時間ｔａが０であるか否かが判定される（Ｓ２４）。Ｓ２２でタイマがスタートさせられたため、経過時間ｔａは０ではなく、その判定結果はＮｏとなる。
【手続補正７】
【補正対象書類名】明細書
【補正対象項目名】０１３９
【補正方法】変更
【補正の内容】
【０１３９】
なお、図１４中の加速判定がＹｅｓである場合とは、アクセル開度Ａｃｃが所定の開度Ａｃｃｓ１よりも大きい場合であり、Ｎｏの場合とは、アクセル開度Ａｃｃが所定の開度Ａｃｃｓ１以下である場合である。加速モードは、加速判定の結果が一度Ｙｅｓになると、Ｓ３６でタイムアップするまで実行される。
【手続補正８】
【補正対象書類名】明細書
【補正対象項目名】０１４１
【補正方法】変更
【補正の内容】
【０１４１】
図１５は、エアコンスイッチをオンにしてから一定時間経過するまでの目標トルクＴｒｓｅｔの変動の一例を示す図であり、エアコンスイッチがオンになったとき、トルク制御ルーチンＳ２３の起動モードが実行される。従って、目標トルクＴｒｓｅｔは、起動初期目標トルクＴｒｓ０に設定され、その後、時間ｔａ１をかけて、起動後目標トルクＴｒｓ１まで徐々に増大される。時間ｔａ１が経過したとき、車両がアイドリングしていれば、トルク制御ルーチンＳ２３のアイドリングモードが実行される。従って、目標トルクＴｒｓｅｔは、アイドリング目標トルクＴｒｓ２に設定される。
【手続補正９】
【補正対象書類名】明細書
【補正対象項目名】０１４２
【補正方法】変更
【補正の内容】
【０１４２】
アイドリング状態から車両が加速し、アクセル開度Ａｃｃが所定の開度Ａｃｃｓ１を超えると、トルク制御ルーチンＳ２３の加速モードが実行される。従って、目標トルクＴｒｓｅｔは、第１加速目標トルクＴｒｓ３に設定される。
この後、アクセル開度Ａｃｃが所定の開度Ａｃｃｓ１以下になっても、時間ｔｂ１が経過するまで、加速モードが実行される。
【手続補正１０】
【補正対象書類名】明細書
【補正対象項目名】０１５６
【補正方法】変更
【補正の内容】
【０１５６】
また、吐出圧力検知手段５００は、冷凍サイクル１０にかかる熱負荷、圧縮機１００の回転数に対応する物理量、放熱器１４及び車両のラジエータのうち少なくとも一方のために動作するファンに供給される電圧、並びに、車両の速度に基づいて高圧圧力を演算してもよい。
この場合には、吐出圧力検知手段５００は、熱負荷を検知する熱負荷センサと、圧縮機１００の回転数に対応する物理量を検知する回転数センサと、放熱器１４及び車両のラジエータのうち少なくとも一方のために動作するファンに供給される電圧を検知するファン電圧センサと、車両の速度を検知する車速センサとを含む。この場合、高圧圧力を間接的に検知することにより、空調システムの構成の自由度が高くなる。
【手続補正１１】
【補正対象書類名】明細書
【補正対象項目名】０１７３
【補正方法】変更
【補正の内容】
【０１７３】
図７の吐出圧力制御ルーチンＳ１７のＳ３０２では、吐出圧力Ｐｄが目標吐出圧力Ｐｄｓｅｔ２に近づくように制御電流Ｉを演算するものであれば、どのような演算式であっても良い。
第１実施形態及び第２実施形態において、電流下限値Ｉ１、Ｉ３、Ｉ５は同じ値であっても良い。同様に電流上限値Ｉ２、Ｉ４、Ｉ６も同じ値であっても良い。電流下限値Ｉ１、Ｉ３、Ｉ５は例えば(数１)でＰｄ−Ｐｓ＝０として規定すれば良い。これにより電流を調整すればＰｄ−Ｐｓ差圧がゼロ近傍（つまり最小吐出容量近傍）まで制御できる。
また吸入圧力の下限値Ｐｓ１、Ｐｓ３、Ｐｓ５は同じ値であっても良い。同様に上限値Ｐｓ２、Ｐｓ４、Ｐｓ６も同じ値であっても良い。
図１１のＳ４０１の演算式には、変数として圧縮機１００の回転数や熱負荷情報を加えてもよい。
【手続補正１２】
【補正対象書類名】図面
【補正対象項目名】図１４
【補正方法】変更
【補正の内容】
【図１４】
2008274918.tif 000001
【手続補正１３】
【補正対象書類名】図面
【補正対象項目名】図１５
【補正方法】変更
【補正の内容】
【図１５】
2008274918.tif 000002